(57)【要約】【課題】墓石を構成する複数の石材を容易に解体したり、組み立てたりできる積重構造でありながら地震や振動に対して倒壊しにくい墓石を提供する。【解決手段】上台１４と下台１２との積重構造は、下台１２の上面中央部に形成され、横断面形状が矩形で縦断面形状が傾斜側面と底面とで逆等脚台形を有する凹状の浅穴部２６と、上台１４の下端部に形成され、矩形な積重面２４Ａの４つのエッジ部２４Ｂが浅穴部２６の傾斜側面２６Ａに線接触状態で密接可能であるとともに積重面２４Ａと浅穴部２６の底面２６Ｂとの間に薄膜状の隙間３２を有する載せ部２４と、上台１４を下台１２に積重したときに薄膜状の隙間３２に充満される液体３６と、を備えた。【選択図】図５
2018076729.tif 000002
【特許請求の範囲】
【請求項１】
複数の石材を積重させて形成される墓石において、
前記複数の石材のうち上下に隣接する少なくとも１組の上側石材と下側石材との積重構造は、
前記下側石材の上面中央部に形成され、横断面形状が矩形で縦断面形状が傾斜側面と底面とで逆等脚台形を有する凹状の浅穴部と、
前記上側石材の下端部に形成され、矩形な積重面の４エッジ部が前記浅穴部の前記傾斜側面に線接触状態で密接可能であるとともに前記積重面と前記浅穴部の前記底面との間に薄膜状の隙間を形成する載せ部と、
前記上側石材を前記下側石材に積重したときに前記薄膜状の隙間に充満される液体と、から少なくとも成ることを特徴とする墓石。
【請求項２】
前記薄膜状の隙間は１ｍｍ以上１０ｍｍ以下の範囲である請求項１に記載の墓石。
【請求項３】
前記液体は水である請求項１又は２に記載の墓石。
【請求項４】
前記液体は水よりも粘度の高い液体である請求項１又は２に記載の墓石。
【請求項５】
前記液体は水よりも凝固点の低い液体である請求項１又は２に記載の墓石。
【請求項６】
前記浅穴部の前記底面と前記載せ部の前記積重面との少なくとも一方に前記液体が入り込む複数の穴が形成されている請求項１から５の何れか１項に記載の墓石。
【請求項７】
前記浅穴部の前記傾斜側面の傾斜高さは７ｍｍ〜５０ｍｍの範囲であり、傾斜幅は３ｍｍ〜２５ｍｍであって、傾斜角度は水平に対して１３５度以下である請求項１から６の何れか１項に記載の墓石。
【請求項８】
前記載せ部の前記積重面の４エッジ部は面取りされている請求項１から７の何れか１項に記載の墓石。
【請求項９】
前記積重構造は、
前記下側石材の前記浅穴部の底面中央部に形成され、横断面形状が矩形で縦断面形状が先細状の深穴部と、
前記上側石材の前記積重面中央部に突出して形成され、前記下側石材の深穴部に嵌合して挿入されるとともに先端部が前記深穴部の底面に当接しない長さに形成された挿入部と、を更に備えた請求項１から８の何れか１項に記載の墓石。
【発明の詳細な説明】
【技術分野】
【０００１】
本発明は墓石に係り、特に墓石を構成する複数の石材を積重して形成される墓石に関する。
【背景技術】
【０００２】
墓石は、墓石を構成する複数の石材を積重して形成されていることが多い。このため、地震や振動によって墓石が倒壊したり、積重された上側の石材が傾いたり落下して倒壊したりする問題がある。
【０００３】
このような墓石の倒壊防止対策として、例えば特許文献１や特許文献２がある。
【０００４】
特許文献１では、墓石を構成する石材のうちの上側の石材(例えば上台石)の下面中央部に形成されたテーパを有する突起を、下側の石材(例えば下台石)の上面中央部に形成された浅窪みと、その浅窪みの中央部に形成した深窪みとにそれぞれ嵌合することによって、墓石の倒壊を防止することを提案している。
【０００５】
特許文献２では、墓石を構成する石材である中台、上台、竿石の各積載合致部分に対し、下位側の石部材から立ち上がらせた免震用丸棒状弾性体を介して上位側石部材との係合を図るとともに、当該免震用丸棒状弾性体の免震的振動を妨げないような振動許容空間を、上位側の石部材の下面に夫々形成し、更に、上位側石部材と下位側石部材との積載合致間に、当該免震用丸棒状弾性体を貫通させて免震用滑動板を夫々に挟持介在させたことによって、墓石の倒壊を防止することを提案している。
【０００６】
すなわち、地震や振動に対する墓石の倒壊防止対策としては、墓石を構成する複数の石材同士を突起と溝とでしっかりと嵌合するか、棒状の部材で連結することが通常である。
【先行技術文献】
【特許文献】
【０００７】
【特許文献１】実公昭４８−４４８００号公報
【特許文献２】特開２０１３−２５６８３４号公報
【発明の概要】
【発明が解決しようとする課題】
【０００８】
しかしながら、特許文献１の墓石は、下側の石材と上側の石材とがしっかりと嵌合されているので、地震や振動に対する墓石全体の振動吸収性がなく、かえって墓石が傾いたり転倒したりし易いという問題がある。また、下側の石材と上側の石材とがしっかりと嵌合されているので、墓石の修理等において墓石を構成する石材を解体したり、再度組み立てたりすることが困難であるとともに、無理に解体や組み立てを行うと、石材の角が欠けてしまうという問題がある。
【０００９】
また、特許文献２の墓石は、免震用丸棒状弾性体を介して上側の石材と下側の石材とを連結し、免震用丸棒状弾性体の免震的振動を妨げないような振動許容空間を上側の石材の下面に形成しているので、地震や振動に対する墓石全体の振動吸収性はある。しかしながら、墓石の修理等において墓石を構成する石材を解体したり、再度組み立てたりすることが困難であるという問題がある。
【００１０】
本発明はこのような事情に鑑みてなされたもので、墓石を構成する複数の石材を容易に解体したり、組み立てたりできる積重構造でありながら地震や振動に対して倒壊しにくい墓石を提供することを目的とする。
【課題を解決するための手段】
【００１１】
本発明の墓石は目的を達成するために、複数の石材を積重させて形成される墓石において、前記複数の石材のうち上下に隣接する少なくとも１組の上側石材と下側石材との積重構造は、前記下側石材の上面中央部に形成され、横断面形状が矩形で縦断面形状が傾斜側面と底面とで逆等脚台形を有する凹状の浅穴部と、前記上側石材の下端部に形成され、矩形な積重面の４エッジ部が前記浅穴部の前記傾斜側面に線接触状態で密接可能であるとともに前記積重面と前記浅穴部の前記底面との間に薄膜状の隙間を形成する載せ部と、前記上側石材を前記下側石材に積重したときに前記薄膜状の隙間に充満される液体と、から少なくとも成ることを特徴とする。
【００１２】
本発明の墓石によれば、上記の積重構造とすることによって、上側石材と下側石材との各石材が独立してバランスをとることができるバランス効果、上側石材が傾いても元の位置に戻ろうとする復元効果、薄膜状の隙間に液体が充満されていることによる吸盤効果及びクッション効果が働く。
【００１３】
これにより、墓石を構成する複数の石材を容易に解体したり、組み立てたりできる積重構造でありながら地震や振動に対して倒壊しにくい墓石を提供することができる。
【００１４】
本発明において、前記薄膜状の隙間は１ｍｍ以上１０ｍｍ以下の範囲であることが好ましい。
【００１５】
本発明において、前記液体は水であることが好ましく、水よりも粘度の高い液体であることが好ましく、水よりも凝固点が低い液体であることが好ましい。
【００１６】
本発明において、前記浅穴部の前記底面と前記載せ部の前記積重面との少なくとも一方に前記液体が入り込む複数の穴(袋穴)が形成されていることが好ましい。これにより、吸盤効果を一層高めることができる。
【００１７】
本発明において、前記浅穴部の前記傾斜側面の傾斜高さは７ｍｍ〜５０ｍｍの範囲であり、傾斜幅は３ｍｍ〜２５ｍｍであって、傾斜角度は水平に対して１３５度以下であることが好ましい。
【００１８】
本発明において、前記載せ部の前記積重面の４エッジ部は面取りされていることが好ましい。これにより、上側石材と下側石材とを解体したり組み立てたりする際に、積重面のエッジ部が欠損しにくくなる。
【００１９】
本発明において、前記積重構造は、前記下側石材の前記浅穴部の底面中央部に形成され、横断面形状が矩形で縦断面形状が先細状の深穴部と、前記上側石材の前記積重面中央部に突出して形成され、前記下側石材の深穴部に嵌合して挿入されるとともに先端部が前記深穴部の底面に当接しない長さに形成された挿入部と、を更に備えた。
【発明の効果】
【００２０】
本発明の墓石によれば、墓石を構成する複数の石材を容易に解体したり、組み立てたりできる積重構造でありながら地震や振動に対して倒壊しにくい墓石を提供することができる。
【図面の簡単な説明】
【００２１】
【図１】墓石の一例である五輪塔の斜視図
【図２】五輪塔の側面図
【図３】下台と上台とを積重する前の斜視図
【図４】下台と別態様の上台とを積重する前の斜視図
【図５】上台を下台に積重させた後の縦断面図
【図６】吸盤効果を説明する説明図
【図７】上台の載せ部の積重面と下台の浅穴部の底面とに細かい穴を形成した断面図
【図８】地輪と水輪との積重を説明する斜視図
【図９】地輪に水輪を積重させた断面図
【発明を実施するための形態】
【００２２】
以下、添付図面にしたがって本発明の墓石の好ましい実施の形態について説明する。
【００２３】
本発明は以下の好ましい実施の形態により説明される。本発明の範囲を逸脱することなく、多くの手法により変更を行うことができ、本実施の形態以外の他の実施の形態を利用することができる。したがって、本発明の範囲内における全ての変更が特許請求の範囲に含まれる。
【００２４】
ここで、図中、同一の記号で示される部分は、同様の機能を有する同様の要素である。また、本明細書中で、数値範囲を"  〜  "を用いて表す場合は、"  〜  "で示される上限、下限の数値も数値範囲に含むものとする。
【００２５】
本発明の墓石は、複数の石材を積重させて形成される墓石において、複数の石材のうち上下に隣接する少なくとも１組の上側石材と下側石材との積重構造は、下側石材の上面中央部に形成され、横断面形状が矩形で縦断面形状が傾斜側面と底面とで逆等脚台形（等脚台形を上下ひっくり返した形状）となる凹状を有する浅穴部と、上側石材の下端部に形成され、矩形である積重面の４エッジ部が浅穴部の傾斜側面に線接触状態で密接可能であるとともに積重面と浅穴部の底面との間に薄膜状の隙間を形成する載せ部と、上側石材を下側石材に積重したときに薄膜状の隙間に充満される液体と、で少なくとも成ることを特徴とする。
【００２６】
本発明の墓石は、複数の石材を積重させて形成される墓石であれば、どのような墓石にも適用することができるが、本発明の墓石の実施の形態では五輪塔の一例で説明する。
【００２７】
図１は五輪塔の全体構成を示す斜視図であり、図２は図１の五輪塔の縦断面図である。
図１及び図２に示すように、五輪塔１０は、高さが１〜１．５ｍ程度に形成され、下の石材から順に、直方体形状の下台１２、直方体形状の上台１４、直方体形状の地輪１６、上下面に平坦面を有する球体形状の水輪１８、四角錐形状の火輪２０、及び半月球体な空輪２２Ａと団形な風輪２２Ｂとからなる空風輪２２の６つの石材を積重することによって構成される。
【００２８】
なお、図１及び図２に示す五輪塔１０を構成する石材の積重数及び各石材の形状は一例であり、これに限定されない。
【００２９】
[墓石の第１の実施の形態の積重構造]
図１及び図２の五輪塔１０では、下台１２と上台１４との積重、及び上台１４と地輪１６との積重に本発明の第１の実施の形態の墓石の積重構造を用いており、下台１２(下側石材に相当)と上台１４（上側石材に相当）との例で以下に説明する。
【００３０】
図３は上台１４を下台１２に積重させる前の斜視図である。
図３に示すように、下台１２と上台１４とはサイズの異なる直方体形状に形成され、上台１４の下端部に設けられた載せ部２４の積重面２４Ａが、下台１２の上面中央部に設けられた凹状の浅穴部２６の傾斜側面２６Ａに線接触状態で載るように形成される。
【００３１】
なお、本実施の形態では、上台１４の形状は直方体形状であり、上台１４の載せ部２４の積重面２４Ａは上台１４の下面と同義である。しかし、上台１４の下端部を構成する載せ部２４以外の石材上部２８のサイズ幅や形状は載せ部２４のサイズ幅や形状と相違していてもよい。
【００３２】
例えば図４に示すように、広幅な直方体形状の載せ部２４に狭幅な直方体形状の石材上部２８が一体的に載った段差形状でもよい。また、石材上部２８の形状は直方体形状に限定されず、円盤形状やその他の形状でもよい。要は、上台１４の下端部に形成された載せ部２４の積重面２４Ａが、下台１２の上面中央部に形成された凹状の浅穴部２６の傾斜側面２６Ａに線接触状態で載るように形成されていればよい。
【００３３】
図３及び図４における符号２４Ｂは上台１４の積重面２４Ａのエッジ部、符号２４Ｃは上台１４の載せ部２４の側面である。また、符号２６Ｂは下台１２の浅穴部２６の底面である。更に符号３０は、上台１４に地輪１６を積重するときの浅穴部であり、下台１２の浅穴部２６と同形状に形成される。
【００３４】
図５（Ａ）は、上台１４を下台１２に積重した後の縦断面図（下台１２は、図３，図４の下台１２のａ−ａ断面図）であり、図５（Ｂ）は図５（Ａ）の丸で囲んだ部分の拡大図である。
【００３５】
図５に示すように、下台１２の上面中央部に角型の浅穴部２６が形成される。この角型の浅穴部２６は、横断面形状が矩形で縦断面形状が傾斜側面２６Ａと底面２６Ｂとで逆等脚台形な凹状に形成される。下台１２の浅穴部２６の横断面形状を矩形にしたのは、振動や地震等により積重された上台１４が水平面上で回転するのを防止するためである。
【００３６】
また、上台１４の下端部に角型の載せ部２４が形成される。この角型の載せ部２４は、上台１４を下台１２に積重したときに、矩形な積重面２４Ａの４つのエッジ部２４Ｂが浅穴部２６の傾斜側面２６Ａに線接触状態で密接するとともに積重面２４Ａと浅穴部２６の底面２６Ｂとの間に薄膜状の隙間３２を形成する。そして、薄膜状の隙間３２に液体３６が充満されている。
【００３７】
ここで、角型の積重面２４Ａの４つのエッジ部２４Ｂとは、図３及び図４に示すように、直方体形状な載せ部２４の４つの辺(側面)２４Ｃの下端と積重面２４Ａとが交差する４つの交差線を意味する。
【００３８】
そして、上台１４を下台１２に積重して上記の積重構造を形成するには、先ず、下台１２の凹状の浅穴部２６に液体３６を満たしておき、この状態で下台１２の浅穴部２６に上台１４の載せ部２４を載置する。これにより、上台１４を下台１２に積重したときに、矩形な積重面２４Ａの４つのエッジ部２４Ｂが浅穴部２６の傾斜側面２６Ａに線接触状態で密接する。
【００３９】
また、予め浅穴部２６に液体３６を満たしておくことにより、上台１４の載せ部２４の積重面２４Ａと下台１２の浅穴部２６の底面２６Ｂとの間に密閉状態で形成された薄膜状の隙間３２に空気を排除した状態で液体３６を充満させることができる。
【００４０】
このような積重構造をとることによって、上台１４の載せ部２４の積重面２４Ａの４つのエッジ部２４Ｂが下台１２の浅穴部２６の傾斜側面２６Ａで支持されることになるので、振動や地震の際に上台１４と下台１２との各石材が独立してバランスをとることができる(バランス効果)。
【００４１】
また、上台１４の載せ部２４の積重面２４Ａの４つのエッジ部２４Ｂが下台１２の傾斜側面２６Ａで支持されることによって、上台１４が傾いても元の水平状態に戻ろうとする復元力が作用する（復元効果）。
【００４２】
例えば、薄膜状の隙間３２に充満された液体３６が冬場の夜間等に凍ると体積が膨張するので、上台１４が持ち上がる。そして、昼間、太陽によって凍った液体３６が解凍するが、太陽の当たっている場所から解凍するので、上台１４が傾くことがある。この場合でも、上台１４の載せ部２４の積重面２４Ａの４つのエッジ部２４Ｂが下台１２の傾斜側面２６Ａで支持されることによって、液体３６が全て解凍する過程で元の水平状態に戻る。地震や振動等により上台１４に傾きが生じる場合にも同様である。
【００４３】
また、上台１４の載せ部２４を下台１２の浅穴部２６に載せたときに形成される密閉状態の薄膜状の隙間３２に液体３６が充満されることによる吸盤効果によって、上台１４と下台１２とは剥離しにくくなるとともに水平方向に滑りにくくなる(吸盤効果)。
【００４４】
この吸盤効果の一例としては、図６に示すように、水を充満させたグラス３８の口を手４０の平で押さえつけて密閉した状態で手４０を持ち上げると、グラス３８を持ち上げることができることで良く知られている。
【００４５】
しかも、薄膜状の隙間３２に液体３６が充満されていることによって、上台１４と下台１２との間にクッション性をもたせることができる(クッション効果)。
【００４６】
上記したバランス効果、復元効果、吸盤効果、及びクッション効果により、積重される上台１４と下台１２とが嵌合や棒等により連結されていなくても、倒壊や傾きに強く、高い耐震性を発揮することができる。
【００４７】
また、上台１４と下台１２とが嵌合や棒等によりしっかりと連結されていないので、墓石の修理等において、上台１４と下台１２とを解体したり組み立てたりすることを容易に行うことができる。
【００４８】
したがって、本発明の墓石の実施の形態である五輪塔１０は、五輪塔１０を構成する複数の石材を容易に解体したり、組み立てたりできる積重構造でありながら地震や振動に対して倒壊しにくい。
【００４９】
上記の上台１４と下台１２との積重構造において、次の好ましい態様を満たすことによって、倒壊や傾きに一層強く、より大きな耐震性を発揮することができる(以下「好ましい態様」という)。
【００５０】
（１）図５（Ｂ）に示すように、上台１４の載せ部２４と下台１２の浅穴部２６との間に形成される薄膜状の隙間３２の長さＬ１は１ｍｍ以上１０ｍｍ以下の範囲であることが好ましい。薄膜状の隙間３２の長さＬ１が１ｍｍ未満であると十分なクッション性が得られず、１０ｍｍを超えると十分な吸盤効果が得られない。
【００５１】
（２）薄膜状の隙間３２に充満される液体３６は水であることが好ましい。水であれば、容易に入手でき、取扱いも容易である。さらには、液体３６は水よりも粘度の高い液体であることが好ましい。水よりも粘度が高いとクッション性が大きくなる。例えば、鉱物油のように長期間使用しても酸化等により粘度が変化しにくい液体を使用することができる。
【００５２】
（３）薄膜状の隙間３２に充満される液体３６は水よりも凝固点が低い液体であることが好ましい。本発明における積重構造は、上述の通り復元効果を有するが、液体が凍り難ければ液体の膨張によって上台が傾くことを防止し易い。水よりも凝固点が低い液体としては、例えば、上記の鉱物油を使用することができ、クッション性も高めることができる。
【００５３】
（４）図５（Ｂ）に示すように、下台１２の浅穴部２６の傾斜側面２６Ａの傾斜高さＬ２は７ｍｍ〜５０ｍｍの範囲であり、傾斜幅Ｌ３は３ｍｍ〜２５ｍｍであって、傾斜角度θは水平に対して９０度より大きく１３５度以下であることが好ましい。傾斜角度θの下限は、９５度以上が好ましく、１００度以上が更に好ましい。θが９５度以上ないと、傾斜側面２６Ａの角度が急過ぎて、エッジ部２４Ｂがめり込んで外しにくくなる場合があり得るからである。θが１００度以上であれば、めり込みにより外しにくくなる場合がほとんど無くなる。
【００５４】
下台１２の角型の浅穴部２６の傾斜側面２６Ａの傾斜高さＬ２を７ｍｍ〜５０ｍｍの範囲、傾斜幅Ｌ３を３ｍｍ〜２５ｍｍの範囲にするとともに、傾斜角度θを水平面に対して１３５度以下にする。これにより、上台１４の載せ部２４と浅穴部２６との間に形成される薄膜状の隙間３２を１ｍｍ以上１０ｍｍ以下の範囲で形成し易い。また、下台１２の浅穴部２６の傾斜側面２６Ａと上台１４の載せ部２４の側面２４Ｃとで形成される縦断面がＶ字溝４２の幅Ｌ４を小さくできるので、Ｖ字溝４２を介して薄膜状の隙間３２にゴミや土等の異物が侵入するのを防止できる。Ｖ字溝４２の幅Ｌ４としては、０．５ｍｍ以上３０ｍｍ以下の範囲が好ましい。
【００５５】
さらには、下台１２の浅穴部２６の傾斜側面２６Ａの傾斜角度θを１３５度以下にすることにより、上台１４が傾いても元の水平状態に戻ろうとする復元効果も一層大きくなる。
【００５６】
（５）また、図７に示すように、下台１２の浅穴部２６の底面２６Ｂと上台１４の載せ部２４の積重面２４Ａとの少なくとも一方に液体３６が入り込む複数の穴４４(袋穴)が形成されていることが好ましい。これは、穴４４に入った液体３６の表面張力効果を利用したもので、吸盤効果を一層高めることができる。
【００５７】
通常、五輪塔１０等の墓石に使用される石材の表面は平滑ではなくミクロ的には細かな穴が開いているが、意図的に穴４４を形成することによって吸盤効果を強めることができる。
【００５８】
（６）上台１４の載せ部２４の積重面２４Ａの４つのエッジ部２４Ｂは面取りされていることが好ましい。これにより、上台１４と下台１２とを解体したり組み立てたりする際に、積重面２４Ａのエッジ部２４Ｂが欠損しにくくなる。
【００５９】
以上説明した墓石の積重構造の第１の実施の形態では、五輪塔１０の下台１２と上台１４との積重の例で説明したが、五輪塔１０を構成する全ての石材同士の積重構造として第１の実施の形態の積重構造を用いることができる。
【００６０】
しかし、五輪塔１０の石材は、上の方に積重される石材ほど小さく重さが軽いため、振動や地震のときに動いて脱落し易い。
【００６１】
したがって、地輪１６と水輪１８の積重、水輪１８と火輪２０の積重、及び火輪２０と空風輪２２との積重については、次に説明する第２の実施の形態の積重構造を採用することが好ましい。
【００６２】
[墓石の第２の実施の形態の積重構造]
墓石の第２の実施の形態の積重構造として、直方体形状の地輪１６（下側石材に相当）と上下面に平坦面に有する球体形状の水輪１８（上側石材に相当）とを積重する例で以下に説明する。
【００６３】
図８は地輪１６と水輪１８とを積重する前の斜視図であり、図９は地輪１６に水輪１８を積重させた後の縦断面図である。
【００６４】
図８及び図９に示すように、第２の実施の形態の積重構造は、地輪１６の上面中央部に形成され、横断面形状が円形で縦断面形状が傾斜側面４６Ａと底面４６Ｂとで逆等脚台形な凹状を有する丸型の浅穴部４６と、丸型の浅穴部４６の底面中央部に形成され、横断面形状が矩形で縦断面形状が先細状の深穴部４８と、水輪１８の下端部に形成され、地輪１６に水輪１８を積重したときに、円形な積重面５０Ａの周縁部が地輪１６の浅穴部４８の円形な傾斜側面４６Ａに線接触状態で密接可能であるとともに積重面５０Ａと浅穴部４６の底面４６Ｂとの間に薄膜状の隙間５２を形成する丸型の載せ部５０と、薄膜状の隙間５２に充満される液体３６と、丸型の載せ部５０の積重面中央部に突出して形成され、地輪１６の深穴部４８に嵌合して挿入されるとともに先端部が深穴部４８の底面４８Ａに当接しない長さに形成された挿入部５４と、を備えて構成される。
【００６５】
なお、図８及び図９では、地輪１６に深穴部４８を形成するとともに水輪１８に挿入部５４を形成したが、地輪１６に挿入部５４を形成するとともに水輪１８に深穴部４８を形成してもよい。
【００６６】
即ち、地輪１６に形成される丸型の浅穴部４６と水輪１８に形成される丸型の載せ部５０との関係、及び薄膜状の隙間５２に充満される液体３６は、浅穴部４６が丸型か角型だけの違いで第１の実施の形態の積重構造と同様である。
【００６７】
したがって、第２の実施の形態の積重構造においても、第１の実施の形態の積重構造と同様に、バランス効果、復元効果、吸盤効果、及びクッション効果を得ることができる。
【００６８】
さらに、第２の実施の形態の積重構造では、地輪１６に深穴部４８を形成し、水輪１８に深穴部４８に嵌合して挿入される挿入部５４を形成したことによって、水輪１８の重さが軽くても振動や地震のときに地輪１６から脱落しにくい構造とした。
【００６９】
また、第２の実施の形態の積重構造でも、第１の実施の形態の積重構造で説明した好ましい態様を採用することができる。
【００７０】
なお、本発明の墓石の実施の形態では、五輪塔の例で説明したが、その他に角柱墓、宝篋印塔、多宝塔、無縫塔、層塔、洋風塔、地蔵墓、観音墓のように、複数の石材が積重された墓石に適用できる。
【符号の説明】
【００７１】
１０…五輪塔（墓石の一例）、１２…下台、１４…上台、１６…地輪、１８…水輪、２０…火輪、２２…空風輪、２４…角型の載せ部、２４Ａ…積重面、２４Ｂ…エッジ部、２４Ｃ…載せ部の辺（側面）、２６…角型の浅穴部、２６Ａ…傾斜側面、２６Ｂ…底面、２８…石材上部、３０…上台の浅穴部、３２…薄膜状の隙間、３６…液体、３８…グラス、４０…手、４２…Ｖ字溝、４４…穴（袋穴）、４６…丸型の浅穴部、４６Ａ…傾斜側面、４６Ｂ…底面、４８…深穴部、４８Ａ…底面、５０…丸型の載せ部、５０Ａ…積重面、５２…薄膜状の隙間、５４…挿入部
【図１】
2018076729.tif 000003
【図２】
2018076729.tif 000004
【図３】
2018076729.tif 000005
【図４】
2018076729.tif 000006
【図５】
2018076729.tif 000007
【図６】
2018076729.tif 000008
【図７】
2018076729.tif 000009
【図８】
2018076729.tif 000010
【図９】
2018076729.tif 000011
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
複数の石材を積重させて形成される墓石において、
前記複数の石材のうち上下に隣接する少なくとも１組の上側石材と下側石材との積重構造は、
前記下側石材の上面中央部に形成され、横断面形状が矩形で縦断面形状が傾斜側面と底面とで逆等脚台形を有する凹状の浅穴部と、
前記上側石材の下端部に形成され、石材で形成された矩形な積重面の４エッジ部が石材で形成された前記浅穴部の前記傾斜側面に石材同士で線接触状態で密接しているとともに前記積重面と前記浅穴部の前記底面との間に薄膜状の隙間を形成する載せ部と、
前記上側石材を前記下側石材に積重したときに前記薄膜状の隙間に空気を排除した状態で充満される液体と、から少なくとも成ることを特徴とする墓石。
【請求項２】
前記薄膜状の隙間は１ｍｍ以上１０ｍｍ以下の範囲である請求項１に記載の墓石。
【請求項３】
前記液体は水である請求項１又は２に記載の墓石。
【請求項４】
前記液体は水よりも粘度の高い液体である請求項１又は２に記載の墓石。
【請求項５】
前記液体は水よりも凝固点の低い液体である請求項１又は２に記載の墓石。
【請求項６】
前記浅穴部の前記底面と前記載せ部の前記積重面との少なくとも一方に前記液体が入り込む複数の穴が形成されている請求項１から５の何れか１項に記載の墓石。
【請求項７】
前記浅穴部の前記傾斜側面の傾斜高さは７ｍｍ〜５０ｍｍの範囲であり、傾斜幅は３ｍｍ〜２５ｍｍであって、傾斜角度は水平に対して１３５度以下である請求項１から６の何れか１項に記載の墓石。
【請求項８】
前記載せ部の前記積重面の４エッジ部は面取りされている請求項１から７の何れか１項に記載の墓石。
【請求項９】
前記積重構造は、
前記下側石材の前記浅穴部の底面中央部に形成され、横断面形状が矩形で縦断面形状が先細状の深穴部と、
前記上側石材の前記積重面中央部に突出して形成され、前記下側石材の深穴部に嵌合して挿入されるとともに先端部が前記深穴部の底面に当接しない長さに形成された挿入部と、を更に備えた請求項１から８の何れか１項に記載の墓石。